(57)【要約】【課題】  剛性が高く、回路基板に搭載された回路素子に、振動による負荷が加わり難い表示装置を提供する。【解決手段】  液晶表示パネル１０は、画像を表示する。発光素子２４は、液晶表示パネルを照明する。ケース体３０は、発光素子２４を収容する。回路基板４０は、液晶表示パネル２０を駆動する回路素子７０が搭載される。ハウジング５０は、回路基板４０を収容する。ハウジング５０は、回路素子７０が発した熱を放散させる放熱部材５１と、放熱部材５１よりも熱伝導率が低い樹脂部材５２とを有する。ケース体３０は、放熱部材５１に支持される第一の支持部３３と、樹脂部材５２に支持される第二の支持部３４と、を有する。【選択図】  図１
2018124320.tif 000002
【特許請求の範囲】
【請求項１】
画像を表示する液晶表示パネルと、前記液晶表示パネルを照明する発光素子と、前記発光素子を収容するケース体と、前記液晶表示パネルを駆動する回路素子が搭載された回路基板と、前記回路基板を収容するハウジングと、を備えた表示装置であって、
前記ハウジングは、前記回路素子が発した熱を放散させる放熱部材と、前記放熱部材よりも熱伝導率が低い樹脂部材と、を有し、
前記ケース体は、前記放熱部材に支持される第一の支持部と、前記樹脂部材に支持される第二の支持部と、を有することを特徴とする表示装置。
【請求項２】
前記回路基板は、前記放熱部材と前記第二の支持部とに挟持されていることを特徴とする請求項１に記載の表示装置。
【発明の詳細な説明】
【技術分野】
【０００１】
本発明は、回路基板に搭載された回路素子が発した熱を放散させる放熱構造を有する表示装置に関するものである。
【背景技術】
【０００２】
従来より、回路基板に搭載された回路素子が発した熱を放散させる表示装置が種々提案されており、例えば、特許文献１に開示されている。斯かる表示装置は、液晶表示パネル及びバックライトを収容するケース体と、液晶表示パネルを駆動する回路素子を搭載した回路基板と、をハウジングに収容し、この回路基板に搭載された回路素子が発した熱を、ハウジングにて放散させるものである。ハウジングは、熱伝導性が良好なアルミニウム等の金属からなる。
【０００３】
しかし、上述した表示装置は、ハウジングが金属からなるものであるため、回路素子が発した熱を良好に放散できる一方で、表示装置が重くなってしまうという問題を有していた。そこで、本願出願人は、ハウジングの一部を樹脂部材にすることにより、放熱性が良好で、且つ、表示装置が重くなる虞が少ない放熱構造を、特願２０１６−２１２４４４号として提案している。
【先行技術文献】
【特許文献】
【０００４】
【特許文献１】特開２０１６−１０９７９８号公報
【発明の概要】
【発明が解決しようとする課題】
【０００５】
しかしながら、振動によって、回路基板に搭載された回路素子に大きな負荷が加わり、回路素子が損傷する虞があった。つまり、従来の表示装置は、ハウジングの放熱部材だけでケース体を支持する構造であったため、表示装置全体としての剛性が低く、振動によって、ハウジングに若干の変形が生じて、回路基板に搭載された回路素子に負荷が加わるという問題を有していた。
本発明は、この問題に鑑みなされたものであり、剛性が高く、回路基板に搭載された回路素子に、振動による負荷が加わり難い表示装置を提供するものである。
【課題を解決するための手段】
【０００６】
本発明は、画像を表示する液晶表示パネル１０と、前記液晶表示パネルを照明する発光素子２４と、前記発光素子２４を収容するケース体３０と、前記液晶表示パネル１０を駆動する回路素子７０が搭載された回路基板４０と、前記回路基板４０を収容するハウジング５０と、を備えた表示装置であって、前記ハウジング５０は、前記回路素子７０が発した熱を放散させる放熱部材５１と、前記放熱部材５１よりも熱伝導率が低い樹脂部材５２と、を有し、前記ケース体３０は、前記放熱部材５１に支持される第一の支持部３３と、前記樹脂部材５２に支持される第二の支持部３４と、を有することを特徴とする。
【０００７】
また、本発明は、前記回路基板４０は、前記放熱部材５１と前記第二の支持部３４とに挟持されていることを特徴とする。
【発明の効果】
【０００８】
ハウジングの放熱部材だけでなく、ハウジングの樹脂部材でもケース体を支持することにより、表示装置全体としての剛性が高くなり、振動によって、回路基板に搭載された回路素子に加わる負荷を緩和することができる。
【図面の簡単な説明】
【０００９】
【図１】本発明の実施形態を示す断面図。
【図２】同上実施形態を示すブロック図。
【発明を実施するための形態】
【００１０】
以下、添付図面に基づいて、本発明を車両用表示装置に適用した一実施形態を説明する。車両用表示装置は、液晶表示パネル１０，バックライト２０，ケース体３０，回路基板４０，ハウジング５０，透光性カバー６０等を備えている。
【００１１】
液晶表示パネル１０は、透明電極が形成された一対のガラス基板に液晶を封入したＴＦＴ型液晶パネルの前後両面に偏光板を貼着したものであり、車両速度，エンジン回転数等の車両情報が画像で表示される。液晶表示パネル１０は、図示しない可撓性配線板によって、回路基板４０と電気的に接続されている。
【００１２】
バックライト２０は、導光板２２，光学シート２３，発光素子２４，硬質配線板２５を有する照明手段であり、発光素子２４が発する照明光によって液晶表示パネル１０を透過照明する。導光板２２は、アクリル等の透光性樹脂からなるものであり、平板形状になっている。導光板２２は、液晶表示パネル１０の後面側に配設されている。導光板２２の前後面には、光拡散シート，光反射シート，輝度上昇フィルム等の光学シート２３が配設されている。導光板２２は、ケース体３０に保持され、液晶表示パネル１０と平行になっている。
【００１３】
発光素子２４は、複数の発光ダイオードからなり、導光板２２の側端面１２ａに沿うように列状に配置されている。発光素子２４は、硬質配線板２５に搭載され、導光板２２の側端面２２ａに照明光を発する。発光素子２４が発した照明光は、導光板２２によって液晶表示パネル１０の後面側に導かれる。
【００１４】
ケース体３０は、ステンレス（ＳＵＳ）等の金属からなるものであり、バックライト２０を収容する。ケース体３０は、導光板２２と平行な板状の底壁部３１と、導光板２２の側端面２２ａを囲む周壁部３２と、底壁部３１の下面から垂下する円柱形状の支持部３３，３４と、を有する。ケース体３０の支持部３３は、回路基板４０を介して、放熱部材５１に支持される。ケース体３０の支持部３４は、樹脂部材５２に支持される。
【００１５】
回路基板４０は、ガラスエポキシ樹脂からなる基材に配線パターンを形成したものであり、ハウジング５０に収容されている。回路基板４０の後面には、液晶表示パネル１０を駆動する表示コントローラ７０が搭載されている。回路基板４０は、タッピングネジ１によって、ケース体３０の支持部３３に固定されている。回路基板４０は、液晶表示パネル１０，導光板２２と夫々平行に配置されている。
【００１６】
ハウジング５０は、放熱部材５１と、この放熱部材５１よりも熱伝導率が低い樹脂部材５２とからなり、回路基板４０等を収容する。放熱部材５１は、熱伝導率が１．０［Ｗ・ｍ−１・Ｋ−１］以上の材料からなり、例えば、マグネシウム（Ｍｇ），アルミニウム（Ａｌ）等の金属からなる。放熱部材５１のヤング率は、樹脂部材５２よりも大きい。
【００１７】
放熱部材５１には受熱部５１ｂが形成されており、この受熱部５１ｂには、熱伝導部材５が配設されている。熱伝導部材５は、熱伝導性が良好な弾性体からなるものであり、ＴＩＭ（Thermal Interface Material）或いは熱伝導シートと称されている。受熱部５１ｂは、前側に突出する断面コ字形状になっている。放熱部材５１は、タッピングネジ１によって、回路基板４０と共にケース体３０の支持部３３に固定されている。
【００１８】
放熱部材５１には、回路基板４０を支持する支持部５１ｃが形成されている。支持部５１ｃは、前側に突出する断面コ字形状になっている。支持部５１ｃは、回路基板４０のグランドパターンに当接しており、放熱部材５１は、表示コントローラ７０を電磁遮蔽する電磁シールドとしても作用する。
【００１９】
回路基板４０に搭載された表示コントローラ７０は、熱伝導部材５を介して、放熱部材５１の受熱部５１ｂに当接している。表示コントローラ７０が発した熱は、熱伝導部材５を介して放熱部材５１の受熱部５１ｂに伝わり、放熱部材５１によって放散される。樹脂部材５２は、ＡＢＳ樹脂等の合成樹脂からなる。樹脂部材５２は、タッピングネジ２によって、ケース体３０の支持部３４に固定されている。
【００２０】
透光性カバー６０は、アクリル等の透光性樹脂からなるものであり、液晶表示パネル１０の前方に配設されている。液晶表示パネル１０に表示される画像は、透光性カバー６０を透して視認される。透光性カバー６０は、タッピングネジ３によって、ハウジング５０の樹脂部材５２に固定されている。
【００２１】
図２は、車両用表示装置の電気的構成を示すブロック図である。マイコン８０は、ＣＰＵ８１，不揮発性メモリ８２，揮発性メモリ８３を有しており、回路基板４０に搭載されている。不揮発性メモリ８２は、例えばフラッシュメモリからなるものであり、揮発性メモリ８３は、例えばＳＤＲＡＭ（Synchronous Dynamic Random Access Memory）からなるものである。
【００２２】
速度センサ１０１は、車両速度を検出し、マイコン８０に速度データを出力する。回転センサ１０２は、エンジンの回転数を検出し、マイコン８０に回転数データを出力する。マイコン８０は、不揮発性メモリ８２に格納されている所定のプログラムに基づいて、表示コントローラ７０を制御すると共に、発光素子２４を駆動する。表示コントローラ７０は、マイコン８０から出力された制御信号に基づいて、液晶表示パネル１０に画像を表示させる。
【００２３】
本実施形態は、画像を表示する液晶表示パネル１０と、液晶表示パネル１０を照明する発光素子２４と、発光素子２４を収容するケース体３０と、液晶表示パネル１０を駆動する表示コントローラ７０が搭載された回路基板４０と、回路基板４０を収容するハウジング５０と、を備えた表示装置であって、ハウジング５０は、表示コントローラ７０が発した熱を放散させる放熱部材５１と、放熱部材５１よりも熱伝導率が低い樹脂部材５２と、を有し、ケース体３０は、放熱部材５１に支持される第一の支持部３３と、樹脂部材５２に支持される第二の支持部３４と、を有するものであり、ケース体３０を、ハウジング５０の放熱部材５１だけでなく、樹脂部材５２でも支持することにより、表示装置全体としての剛性が高くなり、振動によって、回路基板４０に搭載された表示コントローラ７０に加わる負荷を緩和することができる。
【００２４】
なお、本発明は、本実施形態に限定されるものではなく、種々の変形が可能である。例えば、本実施形態では、放熱部材５１は金属からなるものであったが、放熱部材は、熱伝導率が１．０［Ｗ・ｍ−１・Ｋ−１］以上の熱伝導性樹脂からなるものであっても良い。
【符号の説明】
【００２５】
１０    液晶表示パネル
２４    発光素子
３０    ケース体
３３    支持部（第一の支持部）
３４    支持部（第二の支持部）
４０    回路基板
５０    ハウジング
５１    放熱部材
５２    樹脂部材
７０    表示コントローラ（回路素子）
【図１】
2018124320.tif 000003
【図２】
2018124320.tif 000004